(57)【要約】【課題】座支持フレームを支基に取付ける部材の部品点数を削減することにより、コストを低減し、かつ座支持フレームの取付けを容易に行いうるようにした椅子を提供する。【解決手段】支基９に枢着した左右の座支持アーム２６、２６に、上部が横杆２１を上方より挿入しうる大きさに開口され、かつ横杆２１よりも大径をなす左右方向を向く支持孔を有する受け部２６bを設け、この受け部２６bの支持孔に、横杆２１を開口を通して遊嵌するとともに、横杆２１に、円周方向の一部が開口された欠円筒状の軸受２９を、拡径方向に弾性変形させて嵌合し、かつこの軸受２９を、受け部２６bの支持孔に側方より嵌合する。【選択図】  図３
2008194128.tif 000002
【特許請求の範囲】
【請求項１】
座体を支持する座支持フレームを、左右方向を向く前後の横杆と、その両側端部に結合された前後方向を向く左右の側部フレームとを有するものとし、脚体の上部に設けた支基に、前記前部の横杆を、この横杆を中心として座支持フレームが上下に回動しうるように枢着してなる椅子において、
前記支基に、前記横杆を挿入しうる大きさに上方に開口され、かつ前記横杆よりも大径をなす左右方向を向く支持孔を有する受け部を設け、この受け部の支持孔に、横杆を前記開口を通して遊嵌するとともに、前記前部の横杆に、円周方向の一部が開口された欠円筒状の軸受を、拡径方向に弾性変形させて嵌合し、かつこの軸受を、前記受け部の支持孔に側方より嵌合したことを特徴とする椅子。
【請求項２】
支基の左右両側部に、座支持アームの下端部を、左右軸回りに回動可能として枢着し、両座支持アームの上端部に受け部を設けてなる請求項１記載の椅子。
【請求項３】
左右の側部フレームと、受け部の左右の外側面との間の横杆に、スペーサを嵌合してなる請求項１または２記載の椅子。
【請求項４】
受け部と軸受との相対回転を防止する回り止め手段を設けてなる請求項１〜３のいずれかに記載の椅子。
【請求項５】
回り止め手段を、軸受の開口部に上向きに突設され、受け部の開口に側方から嵌合されて係合する上向き突片としてなる請求項４記載の椅子。
【請求項６】
受け部の開口と上向き突片との対向面のいずれか一方に係合溝を、かつ他方に、係合溝に係合する係合突部を設けてなる請求項５記載の椅子。
【発明の詳細な説明】
【技術分野】
【０００１】
本発明は、脚体の上部に設けた支基に、座体を支持する座支持フレームの横杆を、回動可能に枢着してなる椅子に関する。
【背景技術】
【０００２】
背凭れの後傾と連動して、座体の後部が下傾するようにしたリクライニング椅子等においては、座体を支持する座支持フレームにおける前部の左右方向を向く横杆を、脚体の上部に設けた支基に回動可能に枢着することが多い(例えば特許文献１参照)。
【特許文献１】特開２００３−２４５１５４号公報
【発明の開示】
【発明が解決しようとする課題】
【０００３】
上記特許文献１に記載されている椅子においては、支基の上面に形成した左右方向を向く凹溝に、座支持フレームの前部の横杆を、上下から軸受により挟み込んで嵌合し、かつ上下の軸受を、支基の上面にねじ止めされた押え金具により保持することにより、支基の前部に、横杆を上下に回動可能に枢着している。
そのため、部品点数が多く、コスト高となるとともに、座支持フレームの取付けにも手間がかかるという問題を有している。
【０００４】
本発明は、上記問題点に鑑みてなされたもので、座支持フレームを支基に取付ける部材の部品点数を削減することにより、コストを低減し、かつ座支持フレームの取付けを容易に行いうるようにした椅子を提供することを目的としている。
【課題を解決するための手段】
【０００５】
本発明によると、上記課題は、次のようにして解決される。
（１）座体を支持する座支持フレームを、左右方向を向く前後の横杆と、その両側端部に結合された前後方向を向く左右の側部フレームとを有するものとし、脚体の上部に設けた支基に、前記前部の横杆を、この横杆を中心として座支持フレームが上下に回動しうるように枢着してなる椅子において、前記支基に、前記横杆を挿入しうる大きさに上方に開口され、かつ前記横杆よりも大径をなす左右方向を向く支持孔を有する受け部を設け、この受け部の支持孔に、横杆を前記開口を通して遊嵌するとともに、前記前部の横杆に、円周方向の一部が開口された欠円筒状の軸受を、拡径方向に弾性変形させて嵌合し、かつこの軸受を、前記受け部の支持孔に側方より嵌合する。
【０００６】
（２）上記(１)項において、支基の左右両側部に、座支持アームの下端部を、左右軸回りに回動可能として枢着し、両座支持アームの上端部に受け部を設ける。
【０００７】
（３）上記(１)または(２)項において、左右の側部フレームと、受け部の左右の外側面との間の横杆に、スペーサを嵌合する。
【０００８】
（４）上記(１)〜(３)項のいずれかにおいて、受け部と軸受との相対回転を防止する回り止め手段を設ける。
【０００９】
（５）上記(４)項において、回り止め手段を、軸受の開口部に上向きに突設され、受け部の開口に側方から嵌合されて係合する上向き突片とする。
【００１０】
（６）上記(５)項において、受け部の開口と上向き突片との対向面のいずれか一方に係合溝を、かつ他方に、係合溝に係合する係合突部を設ける。
【発明の効果】
【００１１】
請求項１記載の発明によれば、支基の受け部に設けた、上部が開口された支持孔に、座支持フレームの前部の横杆を上方より遊嵌し、かつ横杆に弾性変形させて嵌合した軸受を、支持孔に側方より嵌合するだけで、座支持フレームの前部の横杆を、支基に、上方に抜け外れるのを防止して枢着しうるため、軸受の押え部材や、これを支基に固定するねじ等が不要となる。
その結果、部品点数が削減されて、コスト低減が図れるとともに、支基への座支持フレームの取付作業が容易となる。
【００１２】
請求項２記載の発明によれば、受け部を、支基の両側部に下端部が枢着された座支持アームの上端部に設けたので、支基の形状を簡素化することができ、それを合成樹脂により成形する際の金型等のコストが低減される。
また、座支持アームは、支基に対し、左右軸回りに前後方向に回動しうるので、座支持フレームを、背凭れの後傾と連動しうるように連係した際に、座支持フレームにより支持した座体を、背凭れと共に大きく後方に移動させることができ、座り心地が向上する。
【００１３】
請求項３記載の発明によれば、前部の横杆が、支基に対し左右方向に移動するのが防止されるとともに、軸受が受け部の支持孔より外側方に外れる恐れがなくなる。
【００１４】
請求項４記載の発明によれば、受け部の支持孔の内周面と、軸受の外周面とが互いに摺動運動しないので、それら両面の摩耗を防止することができる。
【００１５】
請求項５記載の発明によれば、軸受の開口部のみに上向き突片を突設し、これを、受け部の開口に側方より嵌合するだけで、受け部と軸受との相対回転を簡単に防止することができる。
【００１６】
請求項６記載の発明によれば、受け部の支持孔より、軸受が側方に抜け外れるのが防止される。
【発明を実施するための最良の形態】
【００１７】
以下、本発明の実施形態を、図面に基づいて説明する。
図１は、本発明を適用した椅子の側面図、図２は、椅子の要部の分解斜視図、図３は、支基に、背凭れ支持フレームと座支持フレームを取付けた状態の斜視図である。
【００１８】
椅子１は、脚体２と、その上部に設けられた座体３と、背凭れ４と、左右１対の肘掛け５とを備えている。
脚体２は、先端にキャスタ６が取付けられた放射状をなす５本の脚杆７と、それらの中心に立設され、内部に収容されたガススプリング(図示略)により伸縮可能な脚柱８と、その上端に後端部が回転自在に取付けられた支基９とからなっている。
【００１９】
座体３は、合成樹脂製の座板１０と、その上面に取付けられたクッション材１１とからなり、金属製の座支持フレーム１２により支持されている。
背凭れ４は、硬質合成樹脂製の背凭れ支持フレーム１３と、その前面上部に取付けられた背当て１４とからなっている。
【００２０】
背凭れ支持フレーム１３における下端部の左右１対の前方を向く支持アーム１３a 、１３aの対向面には、金属製の補強プレート１５、１５が取付けられ、支基９により支持された左右方向を向く枢軸１６における両側端部の角軸部１６aに、補強プレート１５の前端部の角形孔１７と、両支持アーム１３aにおける前端の左右方向を向く枢着部１８に設けた角形の取付孔１８aとを相対回動不能に嵌合し、角軸部１６aの側方に突出するねじ軸１６bに、枢着部１８の大径孔１８bの外側方よりナット１９を螺合することにより、背凭れ支持フレーム１３は、支基９の両側部に、上下方向に回動可能に枢着されている。２０は、両枢着部１８の大径孔１８bの開口端部を塞ぐキャップである。
【００２１】
枢軸１６は、支基９の内部に設けられた前向付勢手段(図示略)に連係され、この前向付勢手段により、背凭れ支持フレーム１３は、常時起立する方向に付勢され、かつ付勢手段に抗して後傾させうるようになっている。
左右の肘掛け５は、左右の支持アーム１３a の前端部上面に取付けられている。
【００２２】
座支持フレーム１２は、左右方向を向いて互いに平行をなすとともに、両側端部が若干上向きに折曲された鋼管等よりなる前後複数(本実施形態では３本)の横杆２１と、各横杆２１の両側端部に、前後両端部が溶接により固着された正面視ほぼ上向コ字状をなす左右１対の側部フレーム２２、２２とからなり、座支持フレーム２１全体は、平面視ほぼ方形枠状に形成されている。
【００２３】
３本の横杆２１のうち、後部側の２本の横杆２１は、互いに近接して配設されている。
各横杆２１における両端部は、そのほぼ上半部を、左右の側部フレーム２２の下端部に形成された切欠溝２３に嵌合した状態で固着され、各横杆２１の下端部は、側部フレーム２２の下端より若干下方に突出している。
【００２４】
左右の側部フレーム２２は、座板１０の左右両側部下面に形成された前後方向を向く凹部２４、２４に、前後方向に摺動可能に嵌合され、座体３は、座支持フレーム１２に対し前後方向に移動しうるようになっている。
【００２５】
支基９内の前端部には、左右方向を向く支軸２５が回動自在に枢着され、その左右の突出端部２５a、２５aには、上下方向を向く合成樹脂製の座支持アーム２６、２６の下端部の内向筒部２６aが、相対回動不能に圧嵌されている。
【００２６】
両座支持アーム２６の上端部には、図５〜図７に拡大して示すように、上部が開口２７された左右方向を向く欠円形の支持孔２８を有する欠円筒状の受け部２６bが、一体的に形成されている。開口２７の対向面間の寸法は、横杆２１が上方より挿入されるように、その外径よりも僅かに大とされ、また、支持孔２８の内径は、横杆２１の外周面との間に所要の隙間が形成されるように、その外径よりも十分大とされている。
開口２７の対向面の外側端部には、円周方向に凹入する係合溝２７a、２７aが形成されている。
【００２７】
座支持フレーム１２における前部の横杆２１の水平部には、円周方向の一部が開口された、ポリアセタール等よりなる耐摩耗性を有する合成樹脂製の１対の欠円筒状軸受２９、２９が、拡径方向に弾性変形させることにより、横杆２１の円周方向より、相対回転可能かつ左右方向に摺動可能として嵌合されている。
軸受２９の左右寸法は、受け部２６bのそれとほぼ等しく、かつ外径を、支持孔２８に適正に嵌合しうる寸法としてある。
【００２８】
軸受２９の開口部には、受け部２６bの開口に側方より嵌合可能な上方を向く前後１対の上向き突片２９a、２９aが突設され、両上向き突片２９aにおける外側端部の上部には、上記受け部２６bの両係合溝２７aに係合可能な係合突部２９b、２９bが、外向きに突設されている。
【００２９】
左右の座支持アーム２６における受け部２６bの外側面と、側部フレーム２２の内側面との間の横杆２１の折曲部２１a付近には、合成樹脂製のスペーサ３０が止着される。
スペーサ３０は、受け部２６bと側部フレーム２２間の折曲部２１aに嵌合される、半円を若干超える大きさの斜め外上方を向く半円筒状部３０aと、その内端縁に垂直に連設され、内側面が受け部２６bの外側面に当接可能な外径の鍔部３０bと、半円筒状部３０aの外側縁の下部に連設され、側部フレーム２２の下面より下方に突出する折曲部２１aの下面に嵌合することにより、上端が側部フレーム２２の下面に当接可能な回り止め部３０cとを有している。
【００３０】
座支持フレーム１２の前端部を左右の座支持アーム２６に取付けるには、まず図５に示すように、前部の横杆２１における水平をなす両側端部(左右同一構造につき、一方のみ図示する)を、左右の座支持アーム２６の受け部２６bの支持孔２８に、開口２７を通して上方より遊嵌する。
【００３１】
ついで、横杆２１に嵌合した軸受２９を縮径させながら、外側方に摺動させ、図６に示すように、受け部２６bの開口２７と支持孔２８に嵌合する。この際に、両上向き突片２９aに突設した係合突部２９bが、受け部２６bの係合溝２７aに突入して係合する。
【００３２】
これにより、横杆２１が、軸受２９により回動可能に支持され、かつ軸受２９は、受け部２６bに対し回り止めされるとともに、上方に抜け外れるのが防止される。
また、係合突部２９bが係合溝２７aと係合しているので、軸受２９が、支持孔２８より内側方に抜け外れるのも防止される。
【００３３】
ついで、図３及び図６に示すように、スペーサ３０を、横杆２１における左右の受け部２６b(一方のみ図示する)と側部フレーム２２との間の折曲部２１aに嵌着すると、前部の横杆２１、すなわち座支持フレーム１２の前部側が、左右の座支持アーム２６及び支基９に対し左右方向に移動するのが防止されるとともに、軸受２９が、支持孔２８より外側方に抜け外れるのも防止される。
【００３４】
図２及び図３に示すように、座支持フレーム１２における最後部の横杆２１の水平部の両側端部は、その部分に嵌合した２つ割り状の軸受３１、３１を、下向きＵ字状の保持金具３２、３２により保持し、この保持金具３２を、左右の補強プレート１５の後部に連設された正面視倒立Ｌ字状をなす座支持部１５aの内向水平片１５bに、ねじ３３をもって固定することにより、実質的に、背凭れ支持フレーム１３における左右の支持アーム１３a、１３aに、回動可能に枢着されている。
【００３５】
以上説明したように、上記実施形態の椅子においては、下端部が支基９に枢着された左右１対の座支持アーム２６の上端部に、上部が開口２７された、座支持フレーム１２の横杆２１よりも大径の左右方向を向く支持孔２８を有する受け部２６bを設け、左右の受け部２６bに、横杆２１の両側端部を上方より遊嵌するとともに、横杆２１に円周方向から弾性変形させて嵌合された軸受２９を、側方に摺動させて受け部２６bの支持孔２８に嵌合するだけの簡単な作業で、座支持フレーム１２の前部の横杆２１を、支基９に、上方に抜け外れるのを防止して枢着することができるため、軸受２９の押え金具や固定ねじが不要となる。
【００３６】
従って、部品点数が削減されてコスト低減が図れるとともに、支基９への座支持フレームの１２の取付作業が容易となる。
また、左右の側部フレーム２２と受け部２６bとの間における横杆２１には、スペーサ３０が嵌着されているので、取付後において座支持フレーム１２の前端部が、支基９に対し左右方向に移動することもない。
【００３７】
なお、上記実施形態では、前部の横杆２１の両側部を受支する受け部２６bを、支基９の両側部に下端を枢着した座支持アーム２６に設けたが、支基９の両側部の上面に直接設けることもある。
【００３８】
受け部２６b対し、軸受２９が相対回転するのを防止するために、その開口部に、受け部２６bの開口２７に嵌合する上向き突片２９aを設けているが、受け部２６bの支持孔２８に、軸受２９を、きつめに圧嵌するようにすれば、上向き突片２９aを省略することもできる。また、上向き突片２９aを設ける代わりに、支持孔２８の内面と軸受２９の外周面とに、左右方向を向いて互いに嵌合し合う凹状と凸条等の回り止め手段を設けてもよい。
【００３９】
軸受２９の支持孔２８よりの抜け外れを防止する係合溝２７aと係合突部２９bは、それぞれ開口２７の対向面と上向き突片２９aの左右方向の中間部に設けてもよい。このようにすると、軸受２９が、支持孔２８の左右両側方に抜け外れるのが防止される。
また、上記実施形態とは反対に、開口２７側に係合突部を、上向き突片２９a側に係合溝を、それぞれ設けてもよい。
【図面の簡単な説明】
【００４０】
【図１】本発明の一実施形態を適用した椅子の側面図である。
【図２】同じく、椅子の要部の分解斜視図である。
【図３】同じく、支基に、背凭れ支持フレームと座支持フレームを取付けた状態の要部の斜視図である。
【図４】同じく、正面図である。
【図５】座支持アームの支持孔に横杆を挿入した状態の斜視図である。
【図６】同じく、座支持アームの支持孔に軸受を嵌合し、かつスペーサを取付けた状態の斜視図である。
【図７】図４のVII-VII線拡大縦断端面図である。
【符号の説明】
【００４１】
１    椅子
２    脚体
３    座体
４    背凭れ
５    肘掛け
６    キャスタ
７    脚杆
８    脚柱
９    支基
１０  座板
１１  クッション材
１２  座支持フレーム
１３  背凭れ支持フレーム
１３a 支持アーム
１４  背当て
１５  補強プレート
１５a 座支持部
１５b 内向水平片
１６  枢軸
１６a 角軸部
１６b ねじ軸
１７  角形孔
１８  枢着部
１８a 取付孔
１８b 大径孔
１９  ナット
２０  キャップ
２１  横杆
２１a 折曲部
２２  側部フレーム
２３  切欠溝
２４  凹部
２５  支軸
２５a 突出端部
２６  座支持アーム
２６a 内向き筒部
２６b 受け部
２７  開口
２７a 係合溝
２８  支持孔
２９  軸受
２９a 上向き突片
２９b 係合突部
３０  スペーサ
３０a 半円筒状部
３０b 鍔部
３０c 回り止め部
３１  軸受
３２  保持金具
３３  ねじ
【図１】
2008194128.tif 000003
【図２】
2008194128.tif 000004
【図３】
2008194128.tif 000005
【図４】
2008194128.tif 000006
【図５】
2008194128.tif 000007
【図６】
2008194128.tif 000008
【図７】
2008194128.tif 000009